(57)【要約】      （修正有）【課題】無線通信に要する電力を削減する。【解決手段】電子時計は、Bluetooth（登録商標）Low Energyの無線通信路を介してスマートフォンと情報を送受信する近距離無線通信ＩＣ２６５と、スマートフォンと無線接続する接続種別（接続の目的）に応じて、近距離無線通信ＩＣ２６５に対してアドバタイズ送信パワーを設定するＣＰＵ２６１とを備える。第１の接続種別（手動接続）の場合、ユーザはスマートフォンと電子時計を並べて操作することにより、電子時計の設定を変更することが想定される。よって電子時計とスマートフォンとの距離は近いため、他の接続種別（キー時刻合わせ／自動時刻合わせ／携帯探索）よりもアドバタイズ送信パワーを小さく設定する。【選択図】図２
2019062445.tif 000002
【特許請求の範囲】
【請求項１】
無線通信路を介して外部装置と情報を送受信する無線通信手段と、
前記外部装置と無線接続する接続種別を判定し、前記外部装置と無線接続する接続種別に応じて、前記無線通信手段の送信パワーを設定する制御手段と、
を備えることを特徴とする無線通信装置。
【請求項２】
前記制御手段は、前記外部装置をユーザが操作して前記無線通信装置を制御する接続種別の場合、前記無線通信装置によって前記外部装置を制御する接続種別の場合よりも前記無線通信手段のアドバタイズ送信パワーを小さく設定する、
ことを特徴とする請求項１に記載の無線通信装置。
【請求項３】
前記制御手段は、前記外部装置をユーザが操作して前記無線通信装置を制御する接続種別の場合、前記無線通信装置によって前記外部装置を制御する接続種別の場合よりも前記無線通信手段のコネクション送信パワーを小さく設定する、
ことを特徴とする請求項１または２に記載の無線通信装置。
【請求項４】
前記制御手段は、前記無線通信装置が前記外部装置に異常状態を報知する接続種別の場合、前記無線通信装置が前記外部装置に正常状態を報知する接続種別の場合よりも前記無線通信手段のアドバタイズ送信パワーを大きく設定する、
ことを特徴とする請求項１に記載の無線通信装置。
【請求項５】
前記制御手段は、前記無線通信装置が前記外部装置に異常状態を報知する接続種別の場合、前記無線通信装置が前記外部装置に正常状態を報知する接続種別の場合よりも前記無線通信手段のコネクション送信パワーを大きく設定する、
ことを特徴とする請求項１または４に記載の無線通信装置。
【請求項６】
前記制御手段は、前記外部装置をユーザが操作して前記無線通信装置を制御する接続種別の場合、前記無線通信装置によって前記外部装置を制御する接続種別の場合よりも前記無線通信手段のアドバタイズ送信パワーを小さく設定し、前記外部装置と接続後の送信パワーを前記無線通信装置によって前記外部装置を制御する接続種別の場合と同じに設定する、
ことを特徴とする請求項２に記載の無線通信装置。
【請求項７】
請求項１ないし６のうちいずれか１項に記載の無線通信装置と、
時刻を計数する計時部と、
前記計時部が計数する前記時刻を表示する表示部と、
を備えることを特徴とする電子時計。
【請求項８】
無線通信路を介して外部装置と情報を送受信する無線通信手段を備える無線通信装置が実行する送信パワー設定方法であって、
前記外部装置と無線接続する接続種別を判定し、
判定した接続種別に応じて、前記無線通信手段の送信パワーを設定する、
ことを特徴とする送信パワー設定方法。
【請求項９】
無線通信路を介して外部装置と情報を送受信する無線通信手段を備えるコンピュータを、
前記外部装置と無線接続する接続種別を判定する判定手段、
前記判定手段が判定した接続種別に応じて、前記無線通信手段の送信パワーを設定する設定手段、
として機能させるための無線通信プログラム。
【発明の詳細な説明】
【技術分野】
【０００１】
本発明は、無線通信装置、電子時計、送信パワー設定方法および無線通信プログラムに関する。
【背景技術】
【０００２】
近年のスマートフォンの普及に伴い、電子時計にBluetooth（登録商標） Low Energy通信機能を持つものが増えてきた。電子時計は、Bluetooth（登録商標） Low Energy通信機能によってスマートフォンと連携して動作することができる。
【０００３】
従来の電子時計は、一律でBluetooth（登録商標） Low Energy通信のパワー設定を行っており、電流ロスが多かった。またBluetooth（登録商標） Low Energyで通信するデバイスが増えてくる中、不必要に強いパワーでアドバタイズすると、各デバイスが見つかりにくくなったりすることが発生している。
【０００４】
特許文献１の要約書の解決手段には、「本発明に係る通信装置は、外部装置と第一の通信方式で通信する第一の無線通信手段と、第一の通信方式と異なる第二の通信方式で通信する第二の無線通信手段と、近接無線通信による通信を行う近接無線通信手段と、近接無線通信手段を用いて外部装置と近接無線通信を行ったことに応じて、第一の無線通信手段又は第二の無線通信手段による通信を有効化して外部装置と通信を行なうようにする有効化手段と、を有し、有効化手段は、通信装置の動作モードが所定の転送対象のデータを転送する所定の動作モードである場合、第一の無線通信手段による通信を有効化し、通信装置の動作モードが所定の動作モードでない場合、第二の無線通信手段による通信を有効化する。」と記載されている。
【先行技術文献】
【特許文献】
【０００５】
【特許文献１】特開２０１７−４６２３１号公報
【発明の概要】
【発明が解決しようとする課題】
【０００６】
特許文献１に記載されている発明は、画像データの送信時には無線ＬＡＮ（Local Area Network）で通信し、それ以外ではBluetooth（登録商標）で通信するというものである。しかし、この構成は複数の通信手段を要するため、例えば電子時計のように電源容量や実装体積に制約の大きい装置に適用することはできない。また、特許文献１に記載の発明は、電力の削減については何ら触れられていない。
そこで、本発明は、無線通信に要する電力を削減することを課題とする。
【課題を解決するための手段】
【０００７】
本発明は、上記目的を達成するため、本発明の第１の観点に係る無線通信装置は、無線通信路を介して外部装置と情報を送受信する無線通信手段と、前記外部装置と無線接続する接続種別を判定し、前記外部装置と無線接続する接続種別に応じて、前記無線通信手段の送信パワーを設定する制御手段と、を備えることを特徴とする。
【発明の効果】
【０００８】
本発明によれば、無線通信に要する電力を削減することができる。
【図面の簡単な説明】
【０００９】
【図１】第１の実施形態におけるスマートフォンを示す概略の構成図である。
【図２】電子時計を示す概略の構成図である。
【図３】電子時計の外観図である。
【図４】電子時計とスマートフォンのアドバタイズからコネクトまでを示すシーケンス図である。
【図５】コネクト以後、プロファイル・コンフィグまで示すシーケンス図である。
【図６】手動接続の動作を示すシーケンス図である。
【図７】手動接続時の電子時計の通信処理を示すフローチャートである。
【図８】スマートフォン上の接続待機中画面を示す図である。
【図９】スマートフォン上の接続中画面を示す図である。
【図１０】スマートフォン上の接続完了画面を示す図である。
【図１１】スマートフォン上のワールドタイム表示画面を示す図である。
【図１２】スマートフォン上の都市検索画面を示す図である。
【図１３】スマートフォン上の時刻設定完了画面を示す図である。
【図１４】キー時刻合わせと自動時刻合わせの動作を示すシーケンス図である。
【図１５】キー時刻合わせ処理のフローチャートである。
【図１６】自動時刻合わせ処理のフローチャートである。
【図１７】携帯探索動作を示すシーケンス図である。
【図１８】携帯探索処理のフローチャートである。
【図１９】近距離無線通信部から見たときのフローチャートである。
【図２０】変形例における近距離無線通信部から見たときのフローチャートである。
【図２１】第２の実施形態における環境モニタリング装置を示す概略の構成図である。
【図２２】環境モニタリング装置の通信処理を示すフローチャートである。
【発明を実施するための形態】
【００１０】
以降、本発明を実施するための形態を、各図を参照して詳細に説明する。本実施形態は、無線通信の接続種別（接続の目的）が複数ある時に、無線通信装置は、その接続種別に応じた通信パワーを設定するというものである。
【００１１】
《第１の実施形態》
第１の実施形態では、Bluetooth（登録商標）Low Energy通信機能を搭載した電子時計がスレーブとなり、スマートフォンがマスタとなって接続を行う。以下、Bluetooth（登録商標）Low Energyのことを、“ＢＬＥ”と記載している場合がある。通信接続の際に電子時計は、アドバタイズ送信パワーとコネクション送信パワー、受信感度の３種類のパラメータを設定可能である。
【００１２】
設定できる幅は無線通信装置によって異なる。無線通信装置のアドバタイズ送信パワーやコネクション送信パワーには、High Power/Middle Power/Low Powerの３段階で設定できるものや1dBm刻みや0.1dBm刻みで設定できるものがある。
【００１３】
無線通信装置には、受信感度がHigh Sensitivity/Middle Sensitivity/Low Sensitivityで設定できるものがある。装置には更に、受信感度がRSSI（Received Signal Strength Indication, Received Signal Strength Indicator）値などの信号強度別で設定できるものがある。その他、無線通信装置には、送信パワーと受信感度を纏めてHigh Performance Mode/Middle Performance Mode/Low Performance Modeとして設定するものなどもある。
【００１４】
無線通信装置は、アドバタイズ送信パワーやコネクション送信パワーに関するパラメータを無線通信の接続種別に応じて設定することで、自身が無線通信に要する電力を削減し、かつ通信相手ではない他の無線通信装置のリソースを不必要に奪ってしまう懸念を小さくできる。
【００１５】
無線通信装置は更に、受信感度に関するパラメータを無線通信の接続種別に応じて設定することで、通信相手ではない他の無線通信装置の通信を解釈することにより、リソースを不必要に奪われることがなくなる。
【００１６】
図１は、第１の実施形態におけるシステムを示す概略の構成図である。
このシステムは、スマートフォン１と電子時計２とが近距離無線通信路を介して通信可能に接続されて構成される。第１の実施形態の電子時計２は、アドバタイズを送信する側であり、スマートフォン１はアドバタイズを受信する側である。
【００１７】
Bluetooth（登録商標）Low Energyの非接続状態において、電子時計２はアドバタイザ、スマートフォン１はスキャナと称される。接続状態において、電子時計２はスレーブ、スマートフォン１はマスタと称される。アドバタイズしている状態で電子時計２はスレーブ、スマートフォン１はスキャナと称される。
【００１８】
また、BLEのプロトコルスタックのGAP(Generic Access Profile)において、電子時計２はペリフェラル、スマートフォン１はセントラルと称される。BLEのプロトコルスタックのGATT(Generic ATTribute profile)において、電子時計２がサーバ、スマートフォン１がクライアントと称される場合と、電子時計２がクライアント、スマートフォン１がサーバと称される場合がある。
【００１９】
スマートフォン１は、ＣＰＵ（Central Processing Unit）１１、ＲＡＭ（Random Access Memory）１２、ＲＯＭ（Read Only Memory）１３、タッチパネルディスプレイ１４、フラッシュメモリ１５、計時部１６、無線ＬＡＮ通信部１７、キャリア通信部１８、近距離無線通信部１９、スピーカ１０を含んで構成される。
【００２０】
ＣＰＵ１１は、ソフトウェアプログラムを実行して、このスマートフォン１を統括制御する。タッチパネルディスプレイ１４は、情報を表示してユーザによる操作を受け付ける。ＲＡＭ１２は、揮発性メモリで構成される記憶部である。ＲＯＭ１３は、不揮発性メモリで構成される記憶部である。フラッシュメモリ１５は、書き換え可能な不揮発性メモリで構成される記憶部である。このフラッシュメモリ１５は、時刻表示プログラム１５１と都市データベース１５２、キー時刻合わせプログラム１５３、自動時刻合わせプログラム１５４、携帯探索プログラム１５５をそれぞれ格納している。
時刻表示プログラム１５１は、このスマートフォン１で動作するアプリケーションのひとつである。時刻表示プログラム１５１は、ＣＰＵ１１に時刻を表示制御させると共に、電子時計２に表示された時刻を設定させる。都市データベース１５２は、各都市の名称と位置と、この都市の協定世界時に対する時差情報とを格納している。
キー時刻合わせプログラム１５３は、ユーザが時計操作を行ったとき、ＣＰＵ１１に電子時計２と通信接続させて、この電子時計２の時刻をスマートフォン１の時刻に合わさせたのちに自動的に切断させる。
自動時刻合わせプログラム１５４は、ＣＰＵ１１に電子時計２と通信接続させて、この電子時計２の時刻をスマートフォン１の時刻に合わさせたのちに自動的に切断させる。
携帯探索プログラム１５５は、ユーザが電子時計２の操作を行ったときに、ＣＰＵ１１に、電子時計２と通信接続させて、電子時計２の通信コマンドによってスマートフォン１に音を鳴らさせるものである。
計時部１６は、時刻を計時する。無線ＬＡＮ通信部１７は、例えばWi-Fi（登録商標）規格の無線通信を行う。キャリア通信部１８は、基地局とネットワークを介して無線通信を行う。近距離無線通信部１９は、例えばBluetooth（登録商標） Low Energy規格による近距離の無線通信を行う。
【００２１】
図２は、電子時計２を示す概略の構成図である。
電子時計２は、主文字盤の時分針である指針２１ａと、秒針である指針２１ｂと、副文字盤の時分針である指針２１ｃとを独立のモータで各々駆動可能なものであり、特には限られないが、例えば、腕に装着するためのバンドを備えた腕時計型の電子時計である。この電子時計２は、例えば指針２１ａと、輪列機構２２ａを介して指針２１ａを回転駆動するステッピングモータ２３ａと、駆動回路２４とを備えている。ここでは、指針２１ｂおよび指針２１ｃについても同様に構成される。
【００２２】
主文字盤の時分針である指針２１ａと、秒針である指針２１ｂと、副文字盤の時分針である指針２１ｃとは、それぞれ独立に回転可能である。以下、指針２１ａ〜２１ｃを特に区別しないときには、単に指針２１と記載する。各輪列機構２２ａ〜２２ｃを特に区別しないときには、単に輪列機構２２と記載する。各ステッピングモータ２３ａ〜２３ｃを特に区別しないときには、単にステッピングモータ２３と記載する。
【００２３】
電子時計２は更に、ＣＰＵ２６１を含んだマイクロコンピュータ２６と、振動子２５と、電源部２７と、近距離無線通信ＩＣ（Integrated Circuit）２６５とを備えている。このＣＰＵ２６１は、発振回路２６２と、分周回路２６３と、計時回路２６４とを含んで構成される。
【００２４】
指針２１ａと指針２１ｂは、主文字盤上の回転軸に対して、回転自在に設けられている。指針２１ｃは、副文字盤上の回転軸に対して、回転自在に設けられている。輪列機構２２ａ〜２２ｃは、それぞれ指針２１ａ〜２１ｃを回転動作させる。
【００２５】
駆動回路２４は、ＣＰＵ２６１から入力された制御信号に基づいて、ステッピングモータ２３ａ〜２３ｃを駆動するための駆動電圧信号を、適切なタイミングで出力する。この駆動回路２４は、ＣＰＵ２６１からの設定信号に基づき、ステッピングモータ２３の駆動電圧や駆動電圧パルス幅を調整して出力可能である。第１の実施形態の駆動回路２４は、ステッピングモータ２３に対して正転方向または逆転方向に駆動電圧信号を出力可能となっている。
【００２６】
ＣＰＵ２６１は、各種演算処理を行い、電子時計２の全体動作を統括制御する。ＣＰＵ２６１は、不図示の制御プログラムを読み出して実行し、継続的に各部に時刻表示に係る動作を行わせる。ＣＰＵ２６１は、指針２１が移動する目標位置を設定し、駆動回路２４を介して、ステッピングモータ２３の駆動を制御する制御手段である。
【００２７】
振動子２５と発振回路２６２とは、固有の周波数信号を生成して分周回路２６３に出力する。振動子２５としては、例えば、水晶発振回路が用いられる。
分周回路２６３は、発振回路２６２から入力された信号をＣＰＵ２６１や計時回路２６４が利用する各種周波数の信号に分周して出力する。
【００２８】
計時回路２６４は、分周回路２６３から入力された所定の周波数信号の回数を計数し、初期時刻に加算してゆくことで現在の時刻を計数するカウンタ回路である。計時回路２６４により計数される現在の時刻は、ＣＰＵ２６１により読み出されて時刻表示に用いられる。この時刻の計数は、ソフトウェア的に制御されてもよい。
【００２９】
電源部２７は、電子時計２を長期間に亘って継続的、かつ安定的に動作させることが可能な構成となっており、例えば電池とＤＣ−ＤＣコンバータとの組み合わせである。これにより動作中の電源部２７の出力電圧は、所定値を保つ。
【００３０】
近距離無線通信ＩＣ２６５は、例えばBluetooth（登録商標） Low Energy規格の通信により、スマートフォン１の近距離無線通信部１９との間で情報を送受信する無線通信手段である。
【００３１】
図３は、電子時計２の外観図である。
電子時計２は、現在の時刻を表示する主文字盤２８１と、特定都市の現地時刻を表示する副文字盤２８２と、ボタン２９１，２９２，２９４と、リュウズ２９３とを備える。主文字盤２８１の中心軸上には、ホームタイムの時分を示す指針２１ａと、秒を示す指針２１ｂとが回転可能に設けられる。副文字盤２８２の中心軸上には、ワールドタイムの時分を示す指針２１ｃが回転可能に設けられる。
ボタン２９１，２９２，２９４とリュウズ２９３は、電子時計２を操作するための操作手段である。ボタン２９１，２９２は、スマートフォン１との通信接続に係るボタンである。
電子時計２とスマートフォン１との接続により、スマートフォン１に表示された仮想アナログ時計は、実際の電子時計２と同期する。
【００３２】
第１の実施形態の電子時計２のＢＬＥ接続には、次の４種類の接続種別がある。
第１の接続種別は、手動接続である。ここで手動接続とは、ユーザが電子時計２を操作してスマートフォン１と接続させたのち、ユーザがスマートフォン１を操作して電子時計２の設定を変更するというものである。
【００３３】
第２の接続種別は、キー時刻合わせである。キー時刻合わせとは、ユーザが電子時計２を操作してスマートフォン１と接続させ、電子時計２の時刻をスマートフォン１の時刻に合わせると自動的に切断するというものである。
【００３４】
第３の接続種別は、自動時刻合わせである。自動時刻合わせとは、電子時計２が決まったタイミングで自動的にスマートフォン１と接続し、電子時計２の時刻をスマートフォン１の時刻に合わせると自動的に切断するというものである。
【００３５】
第４の接続種別は、携帯探索機能である。携帯探索機能とは、ユーザが電子時計２を操作してスマートフォン１と接続させ、スマートフォン１の音を鳴らすことで、このスマートフォン１を探索するというものである。
【００３６】
第１の実施形態は、接続種別（接続の目的）に応じてアドバタイズ送信パワー設定を変えるというものである。第１の接続種別（手動接続）の場合、ユーザはスマートフォン１と電子時計２を並べて操作することにより、電子時計２の設定を変更することが想定される。よって電子時計２とスマートフォン１との距離は近い。そこで第２〜第４の接続種別よりもアドバタイズ送信パワーを小さく設定してもよい。
【００３７】
これに対して第２〜第４の接続種別の場合、スマートフォン１と電子時計２との距離が離れていることが想定される。よって、第１の接続種別よりもアドバタイズ送信パワーを大きく設定するとよい。
【００３８】
以下、図４と図５のシーケンス図により、電子時計２とスマートフォン１との接続動作を説明する。このシーケンス図は、第１〜第４の接続種別に共通である。
図４は、電子時計２とスマートフォン１のアドバタイズからコネクトまでを示すシーケンス図である。
ユーザが電子時計２に対して所定の接続操作を行うと（ステップＳ８０）、ＣＰＵ２６１は、この操作入力を近距離無線通信のオン要求（BLE ON）として解釈する（ステップＳ８１）。なお、手動接続の場合、ユーザは電子時計２の左下のボタン２９１を３秒に亘って長押しする。キー時刻合わせの場合、ユーザは電子時計２の左下のボタン２９１を１回だけ押す。携帯探索機能の場合、ユーザは右下のボタン２９２を２秒に亘って長押しする。自動時刻合わせの場合、電子時計２が決まった時刻になると自動的に近距離無線通信をオンする。
【００３９】
ＣＰＵ２６１は、指針２１に対して接続開始の表示を指示し（ステップＳ８２）、電子時計２の指針２１ｂ（秒針）は、接続開始を表示するため所定位置を指し示す（ステップＳ８３）。例えば、手動接続の場合、秒針はＣの位置（２時）を指し示す。キー時刻合わせの場合、秒針はＦの位置（５時）を指し示す。なお、デジタル時計の場合には、ＬＣＤ（Liquid Crystal Display：液晶表示部）に所定マークを点滅させる。
【００４０】
ＣＰＵ２６１は、近距離無線通信ＩＣ２６５に対してパワーオン（Power On）を指示し（ステップＳ８４）、セットアップ（Setup）を指示する（ステップＳ８５）。近距離無線通信ＩＣ２６５は、セットアップを実行して応答を返す（ステップＳ８６）。このセットアップを複数繰り返して、ＣＰＵ２６１は、近距離無線通信ＩＣ２６５を初期化する。このときＣＰＵ２６１は、近距離無線通信ＩＣ２６５に対してアドバタイズ送信パワーやコネクション送信パワーを設定する。
【００４１】
ＣＰＵ２６１は、近距離無線通信ＩＣ２６５に対して最後のセットアップを指示する（ステップＳ９０）。近距離無線通信ＩＣ２６５は、このセットアップを実行して応答を返す（ステップＳ９１）。次いでＣＰＵ２６１は、アドバタイズの開始（Start Advertise）を指示する（ステップＳ９２）。これにより近距離無線通信ＩＣ２６５は、近距離無線通信路を介して外部にアドバタイズを繰り返し送信する（ステップＳ９３〜Ｓ１００）。
【００４２】
電子時計２（スレーブ）は、自機の存在をスマートフォン１（スキャナ）に知ってもらうため、このアドバタイズを定期的に送信し続ける。なお、Bluetooth（登録商標）のCore Spec5には、アドバタイズとしてADV_IND, ADV_DIRECT_IND, ADV_NONCONN_IND, ADV_SCAN_IND, ADV_EXT_IND, AUX_ADV_IND, AUX_SYNC_IND, AUX_CHAIN_INDなどが定義されているが、これ以外のアドバタイズであってもよい。
【００４３】
ここでスマートフォン１（スキャナ）が近距離無線通信路を介してアドバタイズを受信すると電子時計２（スレーブ）の存在を知り、これに対して接続要求（Connection Req）を送信する（ステップＳ１０１）。この接続要求を近距離無線通信ＩＣ２６５が受信すると、ＣＰＵ２６１に接続完了（Connection complete）を応答する（ステップＳ１０２）。ＣＰＵ２６１は、必要に応じて指針などを制御し（ステップＳ１０３）、接続が完了した旨を表示する。なお、デジタル時計の場合には、ＬＣＤに所定マークを点灯させて、接続完了を示す。
【００４４】
図５は、コネクト以後、プロファイル・コンフィグまで示すシーケンス図である。
スマートフォン１は、電子時計２に対して、近距離無線通信路を介してサービス・ディスカバリに関する一連の制御を行う（ステップＳ１０５）。ＣＰＵ２６１は、近距離無線通信ＩＣ２６５からサービス・ディスカバリが入力されると、これに対する応答を行う（ステップＳ１０６）。これにより、スマートフォン１は、電子時計２（スレーブ）のサービスクラスを判定し、電子時計２がどのような通信をするのかを検知する。
次いでＣＰＵ２６１は、近距離無線通信ＩＣ２６５に自身の構成プロファイルを送信するように指示する（ステップＳ１０７）。電子時計２は、スマートフォン１に構成プロファイル（Profile Config）を送信する（ステップＳ１０８）。これによりスマートフォン１は、電子時計２（スレーブ）が、どのようなデータ形式の通信によってどのようなサービスを提供する装置であるかを判定できる。
【００４５】
スマートフォン１は、電子時計２に対して、近距離無線通信路を介して接続種別の読込要求（Read Request）を送信する（ステップＳ１０９）。近距離無線通信ＩＣ２６５は、ＣＰＵ２６１に対して、接続種別の読込要求を出力する（ステップＳ１１０）。
ＣＰＵ２６１は、近距離無線通信ＩＣ２６５に対して、接続種別の読込応答をするように指示する（ステップＳ１１１）。近距離無線通信ＩＣ２６５は、スマートフォン１に対して、近距離無線通信路を介して接続種別の読込応答（Read Response）を行う（ステップＳ１１２）。これによりスマートフォン１は、電子時計２の接続種別を検知することができる。
【００４６】
《手動接続》
以下、図６から図１３により、手動接続について説明する。
図６は、手動接続の動作を示すシーケンス図である。図６のシーケンスは、図５のシーケンスの後の動作を示している。
スマートフォン１は、電子時計２に対して、近距離無線通信路を介して時計設定情報等の要求を送信する（ステップＳ１２０）。近距離無線通信ＩＣ２６５は、ＣＰＵ２６１に対して、時計設定情報等の要求を出力する（ステップＳ１２１）。
【００４７】
ＣＰＵ２６１は、近距離無線通信ＩＣ２６５に対して、時計設定情報等を応答するように指示する（ステップＳ１２２）。近距離無線通信ＩＣ２６５は、スマートフォン１に対して、近距離無線通信路を介して時計設定情報等を応答する（ステップＳ１２３）。スマートフォン１と電子時計２は、これらステップＳ１２０〜Ｓ１２３の動作を繰り返して、電子時計２から必要な設定情報をスマートフォン１に転送する。
【００４８】
ステップＳ１３０〜Ｓ１３３によって設定情報の受信を完了すると、スマートフォン１は、後記する図１０に示す接続完了画面４３により時計設定情報をタッチパネルディスプレイ１４に表示する（ステップＳ１３４）。
後記する図１２に示す都市検索画面４５にて、ユーザは都市設定をタップする（ステップＳ１３５）。スマートフォン１は、近距離無線通信路を介して、ホームタイムとワールドタイムの書き込み要求（Write Request）を送信する（ステップＳ１３６）。近距離無線通信ＩＣ２６５は、ＣＰＵ２６１に対して、ホームタイムとワールドタイムの書き込み要求を出力する（ステップＳ１３７）。
【００４９】
ＣＰＵ２６１は、近距離無線通信ＩＣ２６５に対して、書き込み要求に対して応答するように指示する（ステップＳ１３８）。近距離無線通信ＩＣ２６５は、スマートフォン１に対して、近距離無線通信路を介して応答する（ステップＳ１３９）。これによりスマートフォン１は、後記する図１３に示す都市設定完了画面４６をタッチパネルディスプレイ１４に表示する（ステップＳ１４０）。
【００５０】
ＣＰＵ２６１は更に、指針の位置を更新するように各指針２１を制御し（ステップＳ１４１）、各指針２１は、新たに設定されたホームタイムとワールドタイムを示すように位置を更新する（ステップＳ１４２）。これにより、電子時計２の時刻を更新することができる。なお、電子時計２がデジタル時計の場合、ステップＳ１４２において液晶表示部は、デジタルの時刻表示を更新することになる。
【００５１】
図７は、手動接続時の電子時計２の通信処理を示すフローチャートである。
ユーザが電子時計２の左下のボタン２９１を３秒に亘って長押しすると（ステップＳ１０）、手動接続の通信処理が開始する。これにより、主文字盤２８１において秒針がＣの位置（２時の位置）を指すようになる（ステップＳ１１）。
【００５２】
ＣＰＵ２６１は、近距離無線通信ＩＣ２６５により、アドバタイズ送信パワーを-20dBmに設定してスマートフォン１との接続動作を行う（ステップＳ１２）。手動接続の場合、ユーザは電子時計２とスマートフォン１の両方を操作しなければならず、よって近くに並べて操作すると想定される。よって、アドバタイズ送信パワーを-20dBmに設定しても通信に支障はなく、かつ通信に要する電力を削減することができる。
【００５３】
次いでＣＰＵ２６１は、スマートフォン１との接続に成功したか否かを判定する（ステップＳ１３）。ステップＳ１３において、ＣＰＵ２６１は、接続に失敗したならば（Ｎｏ）異常終了し、接続に成功したならば（Ｙｅｓ）、ステップＳ１４に進む。
ステップＳ１４において、ＣＰＵ２６１は、コネクション送信パワーを0dBmに設定してスマートフォン１と通信し、スマートフォン１が送信したコマンドを解釈する（ステップＳ１５）。
【００５４】
ステップＳ１５において、ＣＰＵ２６１は、スマートフォン１が送信したコマンドが通信切断でなければ（それ以外）、そのコマンドを実行し、ステップＳ１５の処理に戻る。
ステップＳ１５において、ＣＰＵ２６１は、スマートフォン１が送信したコマンドが通信切断であるか、または通信タイムアウトが発生したならば、秒針が現在時刻を指すように制御する（ステップＳ１７）。その後、ＣＰＵ２６１は、通信を切断し（ステップＳ１８）、図７の処理を終了する。
【００５５】
図８は、スマートフォン１上の接続待機中画面４１を示す図である。
手動接続のためにスマートフォン１上の時刻表示プログラム１５１を実行すると、最初に接続待機中画面４１がスマートフォン１のタッチパネルディスプレイ１４（図１参照）に表示される。この接続待機中画面４１には、電子時計２のボタン２９１を示す画像と、「長押し３秒・秒針が‘Ｃ’を指すまで長押ししてください」のガイダンス４１１と、「ガイドを見る」４１２が表示されている。なお、‘Ｃ’とは２時の位置のことをいう。ユーザが、この接続待機中画面４１に従って電子時計２の左下のボタン２９１を長押しして、スマートフォン１が電子時計２と通信を確立すると、図９に示す接続中画面４２に遷移する。
【００５６】
図９は、スマートフォン１上の接続中画面４２を示す図である。
接続中画面４２には、スマートフォン１の外観を示すアイコンと“CONNECT”の文字が表示される。この接続中画面４２のまま所定時間が経過すると、図１０に示す接続完了画面４３に遷移する。
【００５７】
図１０は、スマートフォン１上の接続完了画面４３を示す図である。
接続完了画面４３には、アナログ時計が表示されていることを示す画像が左側に配置され、SELF ADJUST４３１、SELF CHARGE４３２、SELF UPDATE４３３が右側に表示されている。SELF ADJUST４３１が左から右にスワイプされると、Bluetooth（登録商標）によるキー時刻合わせが行われる。SELF CHARGE４３２が左から右にスワイプされると、太陽光電池による充電を行うか否かが設定される。SELF UPDATE４３３が左から右にスワイプされると、タイムサーバから時刻が取得され、サマータイム情報やタイムゾーン情報などが自動でアップデートされる。
【００５８】
接続完了画面４３の下部のタブバーには、GUIDE４３４、STATUS４３５、WORLD TIME４３６が表示されている。GUIDE４３４がタップされると、不図示のガイダンス画面に遷移する。STATUS４３５がタップされると、不図示の状態設定画面に遷移する。WORLD TIME４３６がタップされると、図１１に示すワールドタイム表示画面４４に遷移する。
【００５９】
図１１は、スマートフォン１上のワールドタイム表示画面４４を示す図である。
このワールドタイム表示画面４４は、ワールドタイムの都市としてニューヨークが選択され、ホームタイムの都市として東京が選択されている。時計画像の副文字盤４４４には、ワールドタイムとして特定都市の現地時刻が指針で表示され、ここではニューヨークの現地時刻が５時１８分として表示されている。ワールドタイム４４１には、ニューヨークの現地時刻が示されている。時計画像の主文字盤４４３には、ホームタイムとして特定都市の現地時刻が指針で表示され、ここでは東京の現地時刻が１８時１８分として表示されている。ホームタイム４４２には、東京の現地時刻が示されている。
【００６０】
ワールドタイム表示画面４４の下部のタブバーには、STATUS４４５とWORLD TIME４４６が表示されている。STATUS４４５がタップされると、不図示のガイダンス画面に遷移する。WORLD TIME４４６がタップされると、後記する図１５に示した都市検索画面４５に遷移する。
【００６１】
図１２は、スマートフォン１上の都市検索画面４５を示す図である。
都市検索画面４５は、ワールドタイムに係る都市を検索するための画面である。この都市検索画面４５は、ナビゲーションバーに「都市を検索」が表示されている。
【００６２】
都市検索画面４５の背景には、ダラスを示した米国南部の地図が表示され、その前景には都市名表示４５１、日時４５２、サマータイム設定４５３が表示されている。都市名表示４５１には、選択中の都市の名称が表示され、ここでは“Dallas”が表示されている。日時４５２には、選択中の都市の時刻が表示される。サマータイム設定４５３には、ＡＵＴＯ／強制ＯＮ／強制ＯＦＦのいずれかが表示される。なお、ここで日時４５２に表示される時刻は、サマータイム設定を反映したものである。
都市検索画面４５のタブバーには、都市設定４５４が表示されている。この都市設定４５４がタップされると、選択中の都市の時刻が電子時計２に設定される。
【００６３】
図１３は、スマートフォン１上の都市設定完了画面４６を示す図である。
都市設定完了画面４６には、ダラスを示した米国南部の地図が表示され、その前景には日時表示４６１と「ワールドタイムを設定しました」のメッセージが表示されている。日時表示４６１には、電子時計２に設定されたワールドタイムが表示される。
【００６４】
《キー時刻合わせと自動時刻合わせ》
以下、図１４から図１６により、キー時刻合わせと自動時刻合わせについて説明する。
ユーザは電子時計２を操作してスマートフォン１と接続し、ホームタイムを修正することができる。この機能は、キー時刻合わせである。電子時計２は更に、１日のうち予め設定した時刻になるとスマートフォン１と接続し、ホームタイムを修正する。この機能は、自動時刻合わせである。
【００６５】
つまりスマートフォン１は、近距離無線通信部１９により電子時計２にホームタイムを送信させることができる。
ユーザが電子時計２に所定の操作をするか、または予め設定した時刻になると、電子時計２は、スマートフォン１にアドバタイズを送信する。スマートフォン１は電子時計２との通信を確立する（図４参照）。その後、スマートフォン１は、電子時計２へのサービス・ディスカバリを行い、構成プロファイルを設定し、接続種別を読み込む（図５参照）。その後、スマートフォン１と電子時計２は、図１４のシーケンスを実行する。
【００６６】
図１４は、キー時刻合わせと自動時刻合わせの動作を示すシーケンス図である。図１４のシーケンスは、図４と図５のシーケンス後の動作を示している。
スマートフォン１は、電子時計２に対して、近距離無線通信路を介して時計設定情報等の要求を送信する（ステップＳ１５０）。近距離無線通信ＩＣ２６５は、ＣＰＵ２６１に対して、時計設定情報等の要求を出力する（ステップＳ１５１）。
【００６７】
ＣＰＵ２６１は、近距離無線通信ＩＣ２６５に対して、時計設定情報等を応答するように指示する（ステップＳ１５２）。近距離無線通信ＩＣ２６５は、スマートフォン１に対して、近距離無線通信路を介して時計設定情報等を応答する（ステップＳ１５３）。スマートフォン１は、これらステップＳ１５０〜Ｓ１５３の動作を繰り返して、電子時計２から必要な設定情報を取得する。
【００６８】
ステップＳ１６０〜Ｓ１６３によって設定情報の受信を完了すると、スマートフォン１は、近距離無線通信路を介して、ホームタイムの書き込み要求（Write Request）を送信する（ステップＳ１６４）。近距離無線通信ＩＣ２６５は、ＣＰＵ２６１に対して、ホームタイムの書き込み要求を出力する（ステップＳ１６５）。
【００６９】
ＣＰＵ２６１は、近距離無線通信ＩＣ２６５に対して、書き込み要求に対して応答するように指示する（ステップＳ１６６）。近距離無線通信ＩＣ２６５は、スマートフォン１に対して、近距離無線通信路を介して応答する（ステップＳ１６７）。これによりスマートフォン１は、「時計の時刻を合わせました」のビューをタッチパネルディスプレイ１４に表示する（ステップＳ１６８）。
【００７０】
ＣＰＵ２６１は更に、指針の位置を更新するように各指針２１を制御し（ステップＳ１６９）、各指針２１は、新たに設定されたホームタイムを示すように位置を更新する（ステップＳ１７０）。これにより、電子時計２の時刻を更新することができる。
【００７１】
スマートフォン１は、電子時計２に対して、近距離無線通信路を介して通信切断に関する一連の制御を行う（ステップＳ１７１）。ＣＰＵ２６１は、近距離無線通信ＩＣ２６５から通信切断指示が入力されると、これに対する応答を行う（ステップＳ１７２）。これにより、スマートフォン１は、電子時計２との通信を切断することができる。
【００７２】
図１５は、キー時刻合わせ処理のフローチャートである。
ユーザが電子時計２の右下のボタン２９２を１回押すと（ステップＳ２０）、キー時刻合わせ処理が開始する。これにより電子時計２は、主文字盤２８１において秒針が‘Ｃ’の位置（２時の位置）を指すようになり（ステップＳ２１）、ユーザに対してキー時刻合わせ中であることを示す。
【００７３】
ＣＰＵ２６１は、近距離無線通信ＩＣ２６５により、アドバタイズ送信パワーを0dBmに設定してスマートフォン１との接続動作を行う（ステップＳ２２）。キー時刻合わせの場合、ユーザは電子時計２の操作だけでよく、よって近くに並べずに操作している場合がある。よって、ＣＰＵ２６１は、アドバタイズ送信パワーを0dBmに設定して、通信に支障ないようにしている。
【００７４】
次いでＣＰＵ２６１は、スマートフォン１との接続に成功したか否かを判定する（ステップＳ２３）。ステップＳ２３において、ＣＰＵ２６１は、接続に失敗したならば（Ｎｏ）異常終了し、接続に成功したならば（Ｙｅｓ）、ステップＳ２４に進む。
ステップＳ２４において、ＣＰＵ２６１は、コネクション送信パワーを0dBmに設定してスマートフォン１と接続し、スマートフォン１と時刻合わせを行う。
【００７５】
ステップＳ２５において、ＣＰＵ２６１は、スマートフォン１との通信を自動で切断する。その後、ＣＰＵ２６１は、秒針が現在時刻を指すように制御し（ステップＳ２６）、図１５の処理を終了する。
【００７６】
図１６は、自動時刻合わせ処理のフローチャートである。
電子時計２は、現在時刻が所定タイミングであるか否かを判定する（ステップＳ３０）。電子時計２は、現在時刻が所定タイミングでないならば（Ｎｏ）、ステップＳ３０の判定を繰り返し、現在時刻が所定タイミングならば（Ｙｅｓ）、ステップＳ３１の処理に進む。
【００７７】
ＣＰＵ２６１は、近距離無線通信ＩＣ２６５に対してアドバタイズ送信パワーを0dBmに設定し、スマートフォン１との接続動作を行う（ステップＳ３１）。自動時刻合わせの場合、電子時計２とスマートフォン１とは近くに位置していな場合がある。よって、ＣＰＵ２６１は、アドバタイズ送信パワーを0dBmに設定して、通信に支障ないようにしている。
【００７８】
次いでＣＰＵ２６１は、スマートフォン１との接続に成功したか否かを判定する（ステップＳ３２）。ステップＳ３２において、ＣＰＵ２６１は、接続に失敗したならば（Ｎｏ）ステップＳ３０に戻り、接続に成功したならば（Ｙｅｓ）、ステップＳ３３に進む。
ステップＳ３３において、ＣＰＵ２６１は、コネクション送信パワーを0dBmに設定してスマートフォン１と接続し、スマートフォン１と時刻合わせを行う。
【００７９】
ステップＳ３４において、ＣＰＵ２６１は、スマートフォン１との通信を自動で切断し、ステップＳ３０の処理に戻る。
【００８０】
《携帯探索動作》
以下、図１７から図１８により、携帯探索動作について説明する。
図１７は、携帯探索動作を示すシーケンス図である。図１７のシーケンスは、図４と図５のシーケンス後の動作を示している。
【００８１】
電子時計２のＣＰＵ２６１は、近距離無線通信ＩＣ２６５に対して、鳴動コマンドを送信するように指示する（ステップＳ１８０）。近距離無線通信ＩＣ２６５は、スマートフォン１に対して、近距離無線通信路を介して、Handle Value Notificationにより鳴動コマンドを送信する（ステップＳ１８１）。鳴動コマンドを受信すると、スマートフォン１は、スピーカ１０により鳴動を開始する（ステップＳ１８２）。これによりユーザは、スマートフォン１が何処にあるかを知ることができる。
【００８２】
次いでユーザは、電子時計２を操作して音止めを指示する（ステップＳ１８３）。電子時計２のＣＰＵ２６１は、この音止め指示が入力されると（ステップＳ１８４）、近距離無線通信ＩＣ２６５に対して鳴動停止コマンドを送信するように指示する（ステップＳ１８５）。近距離無線通信ＩＣ２６５は、スマートフォン１に対して、近距離無線通信路を介して、Handle Value Notificationにより鳴動停止コマンドを送信する（ステップＳ１８６）。鳴動停止コマンドを受信すると、スマートフォン１は、鳴動を停止する（ステップＳ１８７）。
【００８３】
ＣＰＵ２６１は更に、指針の位置を更新するように各指針２１を制御し（ステップＳ１８８）、各指針２１は、新たに設定されたホームタイムを示すように位置を更新する（ステップＳ１８９）。これにより、電子時計２は、再び時刻を表示することができる。
【００８４】
スマートフォン１は、電子時計２に対して、近距離無線通信路を介して通信切断に関する一連の制御を行う（ステップＳ１９０）。ＣＰＵ２６１は、近距離無線通信ＩＣ２６５から通信切断指示が入力されると、これに対する応答を行う（ステップＳ１９１）。これにより、スマートフォン１は、電子時計２との通信を切断することができる。
【００８５】
図１８は、携帯探索処理のフローチャートである。
ユーザが電子時計２の右下のボタン２９２を２秒に亘って長押しすると（ステップＳ４０）、携帯探索動作が開始する。電子時計２は、主文字盤２８１において秒針がＦの位置（５時の位置）を指すようになり（ステップＳ４１）、ユーザに対して携帯探索中であることを示す。
【００８６】
ＣＰＵ２６１は、近距離無線通信ＩＣ２６５により、アドバタイズ送信パワーを0dBmに設定してスマートフォン１との接続動作を行う（ステップＳ４２）。携帯探索機能の場合、スマートフォン１の所在は不明であり、電子時計２と離れて位置している場合がある。よって、ＣＰＵ２６１は、アドバタイズ送信パワーを0dBmに設定して、通信に支障ないようにしている。
【００８７】
次いでＣＰＵ２６１は、スマートフォン１との接続に成功したか否かを判定する（ステップＳ４３）。ステップＳ４３において、ＣＰＵ２６１は、接続に失敗したならば（Ｎｏ）異常終了し、接続に成功したならば（Ｙｅｓ）、ステップＳ４４に進む。
ステップＳ４４において、ＣＰＵ２６１は、コネクション送信パワーを0dBmに設定してスマートフォン１と接続し、スマートフォン１に音を鳴らせる。
【００８８】
ユーザが電子時計２の右下のボタン２９２を３秒に亘って長押しすると（ステップＳ４５）、スマートフォン１の音を止める操作となる。ステップＳ４６において、ＣＰＵ２６１は、コネクション送信パワーを0dBmに設定してスマートフォン１と接続し、スマートフォン１の音を止める。
【００８９】
ステップＳ４７において、ＣＰＵ２６１は、秒針が現在時刻を指すように制御する。その後、スマートフォン１は電子時計２との通信を自動で切断し（ステップＳ４８）、図１８の処理を終了する。
【００９０】
図１９は、近距離無線通信ＩＣから見たときのフローチャートである。
ＣＰＵ２６１は、接続種別を判定する（ステップＳ５０）。ステップＳ５０において、ＣＰＵ２６１は、接続種別が手動接続ならば、ステップＳ５２に進み、アドバタイズ送信パワーを-20dBmに設定してスマートフォン１との接続動作を行う。ＣＰＵ２６１は、接続種別が手動接続以外ならば、ステップＳ５１に進み、アドバタイズ送信パワーを0dBmに設定してスマートフォン１との接続動作を行う。
ステップＳ５１，Ｓ５２の処理が終了すると、スマートフォン１との接続に成功したか否かを判定する（ステップＳ５３）。ステップＳ５３において、ＣＰＵ２６１は、接続に失敗したならば（Ｎｏ）異常終了し、接続に成功したならば（Ｙｅｓ）、ステップＳ５４に進み、コネクション送信パワーを0dBmに設定してスマートフォン１と通信し、図１９の処理を終了する。
【００９１】
図２０は、変形例における近距離無線通信ＩＣから見たときのフローチャートである。
ＣＰＵ２６１は、接続種別を判定する（ステップＳ６０）。ステップＳ６０において、ＣＰＵ２６１は、接続種別が手動接続ならば、ステップＳ６４に進み、アドバタイズ送信パワーを-20dBmに設定してスマートフォン１との接続動作を行う。
ステップＳ６４の処理が終了すると、ＣＰＵ２６１は、スマートフォン１との接続に成功したか否かを判定する（ステップＳ６５）。ステップＳ６５において、ＣＰＵ２６１は、接続に失敗したならば（Ｎｏ）異常終了し、接続に成功したならば（Ｙｅｓ）、ステップＳ６６に進み、コネクション送信パワーを-20dBmに設定してスマートフォン１と通信し、図２０の処理を終了する。
【００９２】
ステップＳ６０において、ＣＰＵ２６１は、接続種別が手動接続以外ならば、ステップＳ６１に進み、アドバタイズ送信パワーを0dBmに設定してスマートフォン１との接続動作を行う。
ステップＳ６１の処理が終了すると、ＣＰＵ２６１は、スマートフォン１との接続に成功したか否かを判定する（ステップＳ６２）。ステップＳ６２において、ＣＰＵ２６１は、接続に失敗したならば（Ｎｏ）異常終了し、接続に成功したならば（Ｙｅｓ）、ステップＳ６３に進み、コネクション送信パワーを0dBmに設定してスマートフォン１と通信し、図２０の処理を終了する。
【００９３】
この変形例において、ＣＰＵ２６１は、接続種別に応じてアドバタイズ送信パワーとコネクション送信パワーの両方の設定を変えている。
【００９４】
第１の接続種別（手動接続）の場合、ユーザはスマートフォン１を操作して電子時計２の設定を変更することを想定している。よって、電子時計２とスマートフォン１とは、近くに位置していることが想定される。そこで、電子時計２は、第１の接続種別（手動接続）におけるアドバタイズ送信パワーとコネクション送信パワーを小さく設定し、第２〜第４の接続種別におけるアドバタイズ送信パワーとコネクション送信パワーを大きく設定する。手動接続において、電子時計２とスマートフォン１とは、近くに位置していることが想定されるため、アドバタイズ送信パワーとコネクション送信パワーを小さくしても、通信には問題ない。
【００９５】
更に自動時刻合わせやキー時刻合わせにおいて、電子時計２は、短時間で通信が完了するため、コネクション送信パワーが大きくても消費電力には影響しない。
【００９６】
《第１の実施形態の効果》
無線通信の電力を削減できる。各無線通信装置が最適な送信パワーを設定することで、他の無線通信装置のリソースを奪ってしまう懸念を小さくできる。無線通信装置は更に、受信感度に関するパラメータを無線通信の接続種別に応じて設定することで、自身が関係ない他の無線通信装置の通信を解釈することでリソースを不必要に奪われることがなくなる。
【００９７】
《他の変形例》
第１の実施形態は、変更実施が可能であり、例えば、次の（ａ）〜（ｅ）のようなものがある。
（ａ）  送信パワー設定は、アドバタイズ送信パワーを全接続種別で共通とし、コネクション送信パワーを接続種別毎に変更するのでもいい
（ｂ）  上記実施形態と組みあわせて更に、接続種別毎に受信感度を変更してもよい。
（ｃ）  第１〜第４の接続種別以外でも電子時計の機能の増加に伴い、接続種別が増える。その場合は接続種別毎にアドバタイズ送信パワーやコネクション送信パワー、感度設定を行う。新たな電子時計の機能として、例えば電子時計からスマートフォンの音楽をコントロールする機能や、ユーザがアクティビティ毎に電子時計を操作してスマートフォンに送信する機能などが想定される。
（ｄ）  上記実施形態は、電子時計をスレーブとし、スマートフォンをマスタとしている。しかし、電子時計をマスタとし、スマートフォンをスレーブとしてもよい。
（ｅ）  マスタ側装置は、スレーブ側装置の接続種別が分かった後に、この接続種別に応じてコネクション送信パワーや受信感度を変更してもよい。
【００９８】
《第２の実施形態》
Bluetooth（登録商標） Low Energyには、アドバタイズ送信のみを行うBeaconという使い方がある。このBeaconにおけるアドバタイズの送信パワー設定に本発明を適用してもよい。例えば、環境モニタリング装置は、異常がない時はアドバタイズ送信パワーを小さく設定し、異常発生時にはアドバタイズ送信パワーを大きく設定することが考えられる。
【００９９】
図２１は、第２の実施形態における環境モニタリング装置８を示す概略の構成図である。
環境モニタリング装置８は、ＣＰＵ８１、ＲＡＭ８２、ＲＯＭ８３、温度センサ８４、湿度センサ８５、気圧センサ８６、フラッシュメモリ８７、近距離無線通信部８８、計時部８９を含んで構成される。
【０１００】
ＲＡＭ８２は、揮発性メモリで構成される記憶部である。ＲＯＭ８３は、不揮発性メモリで構成される記憶部である。フラッシュメモリ８７は、書き換え可能な不揮発性メモリで構成される記憶部である。このフラッシュメモリ８７は、環境モニタプログラム８７１を格納している。
【０１０１】
この環境モニタプログラム８７１は、環境モニタリング装置８で動作するファームウェアである。環境モニタプログラム８７１は、ＣＰＵ８１に定期的に温度センサ８４や湿度センサ８５、気圧センサ８６で環境を計測させて、その計測結果をデータ収集装置９に送信させる。近距離無線通信部８８は、例えばBluetooth（登録商標） Low Energy規格による近距離の無線通信を行う。
計時部８９は、日時を計時するものである。
【０１０２】
図２２は、環境モニタリング装置８の通信処理を示すフローチャートである。この通信処理は、図２１に示したＣＰＵ８１に、環境モニタプログラム８７１を実行させることによって行われる。
ＣＰＵ８１は、計時部８９により、所定の計測タイミングであるか否かを判定する（ステップＳ７０）。ＣＰＵ８１は、計測タイミングでないならば（Ｎｏ）、ステップＳ７０の処理を繰り返し、計測タイミングならば（Ｙｅｓ）、ステップＳ７１に進み、各センサによる計測を行う。ここでは、ＣＰＵ８１は、温度センサ８４や湿度センサ８５、気圧センサ８６によって環境を計測するが、これらに限定されない。
【０１０３】
ＣＰＵ８１は、各センサにより環境の異常が検知されたか否かを判定する（ステップＳ７２）。ＣＰＵ８１は、環境の異常が検知されたならば（Ｙｅｓ）、アドバタイズ送信パワーを0dBmに設定して外部との接続動作を行う（ステップＳ７３）。環境の異常が検知されなかったならば（Ｎｏ）、アドバタイズ送信パワーを-20dBmに設定して外部との接続動作を行う（ステップＳ７４）。ここで環境の異常とは、正常範囲を逸脱した低温や高温、低湿度や高湿度、低気圧や高気圧などである。なお、ＣＰＵ８１は、異常を検知しているタイミングだけアドバタイズ送信パワーを大きくしているが、異常を一度検知したら停止の操作がされるまでアドバタイズ送信パワーを大きくし続けてもよい。
ステップＳ７３，Ｓ７４の処理が終了すると、ＣＰＵ８１はステップＳ７０の処理に戻り、次の計測タイミングまで待機する。
【０１０４】
環境モニタリング装置が異常を検知した時だけアドバタイズする動作の場合、外部装置は、異常無しと環境モニタリング装置の故障を判別することができない。しかし、第２の実施形態の環境モニタリング装置８において、アドバタイズが送信されない場合は装置の故障であり、アドバタイズの送信パワーが小さい場合は異常無しであり、アドバタイズの送信パワーが強い場合は異常が検知されている。これにより、外部装置は、異常無しと環境モニタリング装置の故障を判別することができる。
【０１０５】
第２の実施形態のＣＰＵ８１は、異常を通知する接続種別（接続の目的）で外部と通信する場合には、それ以外の場合よりもアドバタイズ送信パワーを大きく設定している。これにより、異常が発生していない場合の無線通信の電力を削減できる。更に、各無線通信装置が最適な送信パワーを設定することで、他の無線通信装置のリソースを奪ってしまう懸念を小さくできる。
【０１０６】
（変形例）
本発明は、上記実施形態に限定されることなく、本発明の趣旨を逸脱しない範囲で、変更実施が可能であり、例えば、次の（ａ）〜（ｅ）のようなものがある。
【０１０７】
（ａ）  環境の異常に限定されず、機器の異常が発生したときに、その旨を外部に通知するときにアドバタイズ送信パワーやコネクション送信パワーを大きく設定してもよい。
（ｂ）  Beacon装置は、単なる異常検知だけではなく、異常を検知している期間に応じてアドバタイズ送信パワーを変更してもよい。例えば、異常検知期間が１時間増える毎に、+1dBmずつアドバタイズ送信パワーを増やすなどである。これによりデータ収集装置は、長期間に亘って異常を検知している装置を容易に検知することができる。
（ｃ）  Beacon装置は、単なる異常検知だけではなく、異常の度合いに応じてアドバタイズ送信パワーを変更してもよい。例えば、気温が３０度を超えた場合、１度あたり+1dBmずつアドバタイズ送信パワーを増やすなどである。これによりデータ収集装置は、異常の度合いが大きい装置（環境）を容易に検知することができる。
（ｄ）  浄水器のカートリッジや空気清浄機のフィルタなど消耗部品をモニタするBeacon装置などに適用し、消耗部品が推奨される交換期間を過ぎるとアドバタイズ送信パワーを大きく設定し、交換時期を過ぎていること（異常状態）を外部に通知してもよい。
（ｅ）  Bluetooth（登録商標） Low Energy規格に限定されず、Wi-Fi（登録商標）やZigbee（登録商標）やIrDA（登録商標）など、任意の無線通信規格の装置に適用してもよい。
【０１０８】
以下に、この出願の願書に最初に添付した特許請求の範囲に記載した発明を付記する。付記に記載した請求項の項番は、この出願の願書に最初に添付した特許請求の範囲の通りである。
〔付記〕
【０１０９】
《請求項１》
無線通信路を介して外部装置と情報を送受信する無線通信手段と、
前記外部装置と無線接続する接続種別を判定し、前記外部装置と無線接続する接続種別に応じて、前記無線通信手段の送信パワーを設定する制御手段と、
を備えることを特徴とする無線通信装置。
《請求項２》
前記制御手段は、前記外部装置をユーザが操作して前記無線通信装置を制御する接続種別の場合、前記無線通信装置によって前記外部装置を制御する接続種別の場合よりも前記無線通信手段のアドバタイズ送信パワーを小さく設定する、
ことを特徴とする請求項１に記載の無線通信装置。
《請求項３》
前記制御手段は、前記外部装置をユーザが操作して前記無線通信装置を制御する接続種別の場合、前記無線通信装置によって前記外部装置を制御する接続種別の場合よりも前記無線通信手段のコネクション送信パワーを小さく設定する、
ことを特徴とする請求項１または２に記載の無線通信装置。
《請求項４》
前記制御手段は、前記無線通信装置が前記外部装置に異常状態を報知する接続種別の場合、前記無線通信装置が前記外部装置に正常状態を報知する接続種別の場合よりも前記無線通信手段のアドバタイズ送信パワーを大きく設定する、
ことを特徴とする請求項１に記載の無線通信装置。
《請求項５》
前記制御手段は、前記無線通信装置が前記外部装置に異常状態を報知する接続種別の場合、前記無線通信装置が前記外部装置に正常状態を報知する接続種別の場合よりも前記無線通信手段のコネクション送信パワーを大きく設定する、
ことを特徴とする請求項１または４に記載の無線通信装置。
《請求項６》
前記制御手段は、前記外部装置をユーザが操作して前記無線通信装置を制御する接続種別の場合、前記無線通信装置によって前記外部装置を制御する接続種別の場合よりも前記無線通信手段のアドバタイズ送信パワーを小さく設定し、前記外部装置と接続後の送信パワーを前記無線通信装置によって前記外部装置を制御する接続種別の場合と同じに設定する、
ことを特徴とする請求項２に記載の無線通信装置。
《請求項７》
請求項１ないし６のうちいずれか１項に記載の無線通信装置と、
時刻を計数する計時部と、
前記計時部が計数する前記時刻を表示する表示部と、
を備えることを特徴とする電子時計。
《請求項８》
無線通信路を介して外部装置と情報を送受信する無線通信手段を備える無線通信装置が実行する送信パワー設定方法であって、
前記外部装置と無線接続する接続種別を判定し、
判定した接続種別に応じて、前記無線通信手段の送信パワーを設定する、
ことを特徴とする送信パワー設定方法。
《請求項９》
無線通信路を介して外部装置と情報を送受信する無線通信手段を備えるコンピュータを、
前記外部装置と無線接続する接続種別を判定する判定手段、
前記判定手段が判定した接続種別に応じて、前記無線通信手段の送信パワーを設定する設定手段、
として機能させるための無線通信プログラム。
【符号の説明】
【０１１０】
１  スマートフォン
１１  ＣＰＵ
１２  ＲＡＭ
１３  ＲＯＭ
１４  タッチパネルディスプレイ
１５  フラッシュメモリ
１５１  時刻表示プログラム
１５２  都市データベース
１５３  キー時刻合わせプログラム
１５４  自動時刻合わせプログラム
１５５  携帯探索プログラム
１６  計時部
１７  無線ＬＡＮ通信部
１８  キャリア通信部
１０  スピーカ
１９  近距離無線通信部
２  電子時計  （無線通信装置）
２１ａ〜２１ｃ  指針
２２ａ〜２２ｃ  輪列機構
２３ａ〜２３ｃ  ステッピングモータ
２４  駆動回路
２５  振動子
２６  マイクロコンピュータ
２６１  ＣＰＵ  （制御手段）
２６２  発振回路
２６３  分周回路
２６４  計時回路
２６５  近距離無線通信ＩＣ  （無線通信手段）
２７  電源部
２８１  主文字盤
２８２  副文字盤
２９１，２９２，２９４  ボタン
２９３  リュウズ
４１  接続待機中画面
４１１  ガイダンス
４１２  「ガイドを見る」
４２  接続中画面
４３  接続完了画面
４３１  SELF ADJUST
４３２  SELF CHARGE
４３３  SELF UPDATE
４３４  GUIDE
４３５  STATUS
４３６  WORLD TIME
４４  ワールドタイム表示画面
４４１  ワールドタイム
４４２  ホームタイム
４４５  STATUS
４４６  WORLD TIME
４５  都市検索画面
４５１  都市名表示
４５２  日時
４５３  サマータイム設定
４５４  都市設定
４６  都市設定完了画面
４６１  日時表示
８  環境モニタリング装置
８１  ＣＰＵ
８２  ＲＡＭ
８３  ＲＯＭ
８４  温度センサ
８５  湿度センサ
８６  気圧センサ
８７  フラッシュメモリ
８７１  環境モニタプログラム
８８  近距離無線通信部
８９  計時部
９  データ収集装置
【図１】
2019062445.tif 000003
【図２】
2019062445.tif 000004
【図３】
2019062445.tif 000005
【図４】
2019062445.tif 000006
【図５】
2019062445.tif 000007
【図６】
2019062445.tif 000008
【図７】
2019062445.tif 000009
【図８】
2019062445.tif 000010
【図９】
2019062445.tif 000011
【図１０】
2019062445.tif 000012
【図１１】
2019062445.tif 000013
【図１２】
2019062445.tif 000014
【図１３】
2019062445.tif 000015
【図１４】
2019062445.tif 000016
【図１５】
2019062445.tif 000017
【図１６】
2019062445.tif 000018
【図１７】
2019062445.tif 000019
【図１８】
2019062445.tif 000020
【図１９】
2019062445.tif 000021
【図２０】
2019062445.tif 000022
【図２１】
2019062445.tif 000023
【図２２】
2019062445.tif 000024